(57)【特許請求の範囲】
【請求項１】
外周に位置する縦方向に向かう黒色の面壁部１を有する誘引誘導体２を、下部に位置させると共に、この誘引誘導体２における外周に位置する黒色の面壁部１の上部に捕獲口８を設けた構成とし、
誘引誘導体２における外周に位置する黒色の面壁部１によって飛翔昆虫類を誘引して当該面壁部１に着地させ、黒色の面壁部１に着地した飛翔昆虫類を、飛翔昆虫類の性質である負の走地性を利用して外周に位置する面壁部１に沿って上方に誘導し、誘引誘導体２における外周に位置する黒色の面壁部１の上部に設けた捕獲口８によって飛翔昆虫類を内部に捕獲するようにしたことを特徴とする飛翔昆虫類捕獲器。
【発明の詳細な説明】
【技術分野】
【０００１】
本発明は、ハエやハチ等の飛翔昆虫類を捕獲するために用いられる飛翔昆虫類捕獲器に関する。
【背景技術】
【０００２】
飛翔昆虫類、例えばハエを駆除するには、内部に殺虫剤を充填したエアゾールを用いて、駆除するハエに殺虫剤を噴霧して、これを駆除するのが一般的な手法であった。
【０００３】
しかしながら、このエアゾールを用いたハエの駆除にあっては、いろいろな制約を受けるおそれがあり、これは、ハエ等が多く発生する食品や食器類のある台所付近では、エアゾールより噴霧した殺虫剤が食品や食器類に付着してしまうといった問題があり、これにより、食品や食器類のある台所付近での使用を控えているのが実情であった。
【０００４】
このため、エアゾールによる殺虫剤の噴霧といった手法に代わって、ハエ取りリボンやハエ取り紙等を用いて、これらにハエを粘着させて捕獲する手法が考えられるが、このハエ取りリボンやハエ取り紙等では、どうしても粘着剤で捕獲したハエの死骸等が剥き出しのままとなり、使用中、使用者に不快感を与えるといった問題があったり、あるいは、粘着剤が露出しているので、使用者の手や衣服等に当該ハエ取りリボンやハエ取り紙等がくっついてしまうといったことがあり、取扱いに注意を払う必要があった。
【０００５】
そこで、ハエ取りリボンやハエ取り紙等に代わって、捕獲器が普及しつつある。この捕獲器としては、例えば、特開２００３−７０４０３号公報に記載されているように、略球体状の容器において、その上部と下部とに害虫であるハエ等が侵入可能な小穴と大穴とを設けると共に、内部にハエ等を誘引して殺す作用を有する誘引殺虫剤を収納する。これによって、内部に収納した誘引殺虫剤の臭気が上下の小穴と大穴とから外部に放散され、この臭気に誘われて、小穴あるいは大穴よりハエ等が容器の内部に引き入れられる。そして、容器の内部に引き入れられたハエ等が内部において誘引殺虫剤に触れることで死ぬようになっていた。
【特許文献１】特開２００３−７０４０３号公報
【発明の開示】
【発明が解決しようとする課題】
【０００６】
しかしながら、従来の捕獲器にあっては、ハエ等の誘引を、容器の内部に収納した誘引殺虫剤の臭気によって行うため、容器の内部に収納する誘引殺虫剤の臭気が弱いと、ハエ等を全く誘引することができないという問題が生じ、また逆に、誘引殺虫剤の臭気を強くすると、今度は誘引殺虫剤の臭気を人間である使用者も嗅ぐことになり、使用者が不快感を覚えるといった問題が生じると共に、誘引殺虫剤の臭気によるハエ等の誘引には限界があり、臭気を強くしても、ハエ等を良好に誘引することができないといった問題もあった。
【０００７】
そこで、本発明は、このような各問題の解消、すなわち、ハエやハチ等の飛翔昆虫類を良好に誘引し捕獲することができ、しかも、使用者に不快感を与えるといったことのない飛翔昆虫類捕獲器を提供することを、その課題とする。
【課題を解決するための手段】
【０００８】
本発明は、外周に位置する縦方向に向かう黒色の面壁部を有する誘引誘導体を、下部に位置させると共に、この誘引誘導体における外周に位置する黒色の面壁部の上部に捕獲口を設けた構成とし、誘引誘導体における外周に位置する黒色の面壁部によって飛翔昆虫類を誘引して当該面壁部に着地させ、黒色の面壁部に着地した飛翔昆虫類を、飛翔昆虫類の性質である負の走地性を利用して外周に位置する面壁部に沿って上方に誘導し、誘引誘導体における外周に位置する黒色の面壁部の上部に設けた捕獲口によって飛翔昆虫類を内部に捕獲するようにした飛翔昆虫類捕獲器である。
【発明の効果】
【０００９】
本発明によれば、ハエやハチ等の飛翔昆虫類に対して強い誘引作用を持っている黒色を利用して、誘引誘導体における黒色の面壁部にハエやハチ等の飛翔昆虫類を極めて効果的にかつ容易に誘引し、この面壁部に着地させることができ、そして、飛翔昆虫類における負の走地性を利用して、着地した飛翔昆虫類を面壁部に沿って上方に誘導し、誘引誘導体の上部に設けた捕獲口により内部に飛翔昆虫類を引き入れて捕獲することができ、単に容器に穴を開けて、ここより誘引殺虫剤の臭気を放散して、この誘引殺虫剤の臭気によってハエやハチ等の飛翔昆虫類を容器の内部に引き入れる従来のものと比べて、ハエやハチ等の飛翔昆虫類の捕獲率を飛躍的に向上させることができる。しかも、臭気の強い誘引殺虫剤等を用いることなくハエやハチ等の飛翔昆虫類を誘引して捕獲することができるので、使用者が不快感を覚えるといったこともなくすことができる。
【発明を実施するための最良の形態】
【００１０】
本発明による飛翔昆虫類捕獲器の第一の実施形態について説明する。
【００１１】
飛翔昆虫類捕獲器としては、図１、図２、図３、図４に示すように、縦方向に向かう面壁部１を有する誘引誘導体２を下部に位置するように備える。この誘引誘導体２は、周面と底面とから上部を開口する中空の略円柱体状としており、周面の外側が縦方向に向かう面壁部１になる。この誘引誘導体２は黒色であり、縦方向に向かう面壁部１も黒色である。そして、内部の底面上には薬剤含浸マット３を載置し、この薬剤含浸マット３は例えば不織布であって、誘引剤と殺虫剤とを含浸させている。また、内部中央に支柱４を立設する。
【００１２】
一方、この誘引誘導体２の上部には、上部カバー体５を備える。この上部カバー体５は、下部を開口する中空の半球体状としており、周囲に複数の侵入口６を設けると共に、内部中央に支柱７を設けて、この支柱７が誘引誘導体２の支柱４と嵌合することで、誘引誘導体２の上部に上部カバー体５が備えられる。そして、この上部カバー体５の下端の外径を誘引誘導体２の上端の外径より大きくすることで、誘引誘導体２の上端と上部カバー体５の下端との間に隙間を全周にわたって形成し、この隙間が捕獲口８となり、これによって、誘引誘導体２の上部に捕獲口８が設けられる。なお、この上部カバー体２は、乳白色を含む白色等の淡い色である。
【００１３】
また、この捕獲口８となる隙間の寸法は、捕獲する飛翔昆虫類によって多少異なるものの、コバエ等のハエ等であれば、３乃至４ｍｍ以上１０ｍｍ以下が好ましく、また、ハチ等であれば、１０ｍｍ以上２０ｍｍ以下が好ましい。
【００１４】
そして、各種の実験及び研究を重ねた結果、ハエやハチ等の飛翔昆虫類に対しては、黒色が強い誘引作用を持っていることを見出した。なお、この試験例については、後で述べるものとする。これにより、白色、水色、黄色のみならず、緑色、青色、赤色等の他の色と比べて、黒色が際立って強い誘引作用を持っており、この黒色を利用することで、ハエやハチ等の飛翔昆虫類を極めて効果的にかつ容易に誘引することができる。
【００１５】
このような構成となる飛翔昆虫類捕獲器における実際の飛翔昆虫類の捕獲について説明する。なお、これは、ハエを捕獲する例である。
【００１６】
当該飛翔昆虫類捕獲器を台所等の室内の所定場所に載置する。すると、室内を飛び回っているハエが、誘引誘導体２における黒色の面壁部１の強い誘引作用によって誘引され、この面壁部１に着地する。
【００１７】
そして、誘引誘導体２における黒色の面壁部１に着地したハエは、ハエやハチ等の飛翔昆虫類における負の走地性により、この面壁部１を上方に向かって移動、すなわち上方に誘導して、面壁部１の上部である誘引誘導体２の上部に設けた捕獲口８から、内部へと入り込むようになる。なお、負の走地性とは、飛翔昆虫類等において、重力に逆らって上方に向かって移動する性質のことである。
【００１８】
当該飛翔昆虫類捕獲器の内部に入り込んだハエは、その内部において飛び回るが、しばらくすると、内部の底面上に載置した薬剤含浸マット３に触れて死ぬようになる。
【００１９】
このような構成となる飛翔昆虫類捕獲器にあっては、ハエやハチ等の飛翔昆虫類に対して強い誘引作用を持っている黒色を利用して、飛び回っているハエを誘引誘導体２における黒色の面壁部１に誘引し、ここに着地させることができ、そして、飛翔昆虫類における負の走地性を利用して、着地したハエを面壁部１に沿って上方へと誘導し、この面壁部１の上部である誘引誘導体２の上部に設けた捕獲口８より内部へとハエを引き入れることができ、しかも、上部カバー体５に設けた侵入口６からもハエを内部に引き入れることができる。
【００２０】
以上のように、誘引誘導体２における黒色の面壁部１によってハエやハチ等の飛翔昆虫類を誘引し、この面壁部１に着地させて、着地した飛翔昆虫類を面壁部１に沿って上方に誘導し、誘引誘導体２の上部に設けた捕獲口８によって飛翔昆虫類を内部に引き入れて捕獲することができ、ハエやハチ等の飛翔昆虫類の捕獲率を飛躍的に向上させることができる。
【００２１】
なお、下部に位置する誘引誘導体２の内部には前述したような薬剤含浸マット３を載置する代わりに、醸造酢等の誘引液あるいは水のみを収容して、内部に引き込んだハエを溺死させるようにしても良いし、また、上部カバー体５や誘引誘導体２の内部の表面に粘着剤を塗布して、ここにハエを粘着して捕獲するようにしても良い。
【００２２】
また、前述した第一の実施形態の別の例について説明すると、図５、図６、図７、図８に示すように、基本的には第一の実施形態と同様、下部に位置するように備える誘引誘導体と、その上部に備える上部カバー体とからなる。
【００２３】
誘引誘導体２は、周面と底面とから上部を開口する中空の略円柱体状としており、周面の外側が縦方向に向かう面壁部１になる。この誘引誘導体２も黒色であり、縦方向に向かう面壁部１も黒色である。そして、内部の底面上には薬剤含浸マット３を載置する。また、内部中央に支柱４を立設する。なお、誘引誘導体２における面壁部１には多数の縦溝１１を周方向に連続してもうけることで、その表面が周方向にわたって波形となるようにして、飛翔昆虫類における負の走地性の作用をより一層高めるようにしている。
【００２４】
上部カバー体５は、下部を開口する中空の略円柱体状としており、上面に複数の侵入口６を設けると共に、内部中央に支柱７を設けて、この支柱７が誘引誘導体２の支柱４と嵌合することで、誘引誘導体２の上部に上部カバー体５が備えられる。そして、この上部カバー体５の下端の外径も誘引誘導体２の上端の外径より大きくすることで、誘引誘導体２の上端と上部カバー体５の下端との間に隙間を全周にわたって形成し、この隙間が捕獲口８となり、これによって、誘引誘導体２の上部に捕獲口８が設けられる。この上部カバー体５も、乳白色を含む白色等の淡い色である。
【００２５】
なお、この捕獲口８となる隙間の寸法は、前述した第一の実施形態と同様である。
【００２６】
このような構成となる飛翔昆虫類捕獲器にあっても、前述の第一の実施形態と同様、ハエやハチ等の飛翔昆虫類に対して強い誘引作用を持っている黒色を利用して、飛び回っているハエを誘引誘導体２における黒色の面壁部１に誘引し、ここに着地させることができ、そして、飛翔昆虫類における負の走地性を利用して、着地したハエを面壁部１に沿って上方へと誘導し、この面壁部１の上部である誘引誘導体２の上部に設けた捕獲口８より内部へとハエを引き入れることができ、しかも、上部カバー体５に設けた侵入口６からもハエを内部に引き入れることができる。これにより、ハエやハチ等の飛翔昆虫類の捕獲率を飛躍的に向上させることができる。
【００２７】
次に、本発明による飛翔昆虫類捕獲器の第二の実施形態について説明する。
【００２８】
飛翔昆虫類捕獲器としては、図９、図１０に示すように、縦方向に向かう面壁部１を有する誘引誘導体２を下部に位置するように備える。この誘引誘導体２は、中空の円錐体状としており、その周面の外側が縦方向に向かう面壁部１になる。この誘引誘導体２は黒色であり、縦方向に向かう面壁部１も黒色である。そして、その上端に細い棒状の柱２１を立設する。
【００２９】
一方、この誘引誘導体２の上部には、上部捕獲体２２を備える。この上部捕獲体２２は、ドーナッツ型皿状となる下容器２３と、この下容器２３に嵌合する略半球体状となる上容器２４とから、下部中央が開口するもので、上容器２４の内部中央に取り付け部２５を設けて、ここに誘引誘導体２の上端の柱２１が取り付くことで、誘引誘導体２の上部に上部捕獲体２２が備えられる。そして、この上部捕獲体２２の下部中央の開口箇所が捕獲口８となり、これによって、誘引誘導体２の上部に捕獲口８が設けられる。なお、この上部捕獲体２２は、乳白色を含む白色等の淡い色である。
【００３０】
そして、この上部捕獲体２２における下容器２３には醸造酢等の誘引液あるいは水を収容するようにしている。なお、これらの代わりに、殺虫剤を含んだ液体を収容するようにしても良い。
【００３１】
このような構成となる飛翔昆虫類捕獲器における実際の飛翔昆虫類の捕獲について説明する。なお、これは、ハエを捕獲する例である。
【００３２】
当該飛翔昆虫類捕獲器を台所等の室内の所定場所に載置する。すると、室内を飛び回っているハエが、誘引誘導体２における黒色の面壁部１の強い誘引作用によって誘引され、この面壁部１に着地する。
【００３３】
そして、誘引誘導体２における黒色の面壁部１に着地したハエは、ハエやハチ等の飛翔昆虫類における負の走地性により、この面壁部１を上方に向かって移動、すなわち上方に誘導して、面壁部１の上部である誘引誘導体２の上部に設けた捕獲口８から、上部捕獲体２２内へと入り込むようになる。
【００３４】
上部捕獲体２２内に入り込んだハエは、その内部において飛び回るが、しばらくすると、上部捕獲体２２における下容器２３に収容している誘引液あるいは水内に落ちて溺死するようになる。
【００３５】
このような構成となる飛翔昆虫類捕獲器にあっては、ハエやハチ等の飛翔昆虫類に対して強い誘引作用を持っている黒色を利用して、飛び回っているハエを誘引誘導体２における黒色の面壁部１に誘引し、ここに着地させることができ、そして、飛翔昆虫類における負の走地性を利用して、着地したハエを面壁部１に沿って上方へと誘導し、この面壁部１の上部である誘引誘導体２の上部に設けた捕獲口８より上部捕獲体２２内へとハエを引き入れることができる。
【００３６】
以上のように、誘引誘導体２における黒色の面壁部１によってハエやハチ等の飛翔昆虫類を誘引し、この面壁部１に着地させて、着地した飛翔昆虫類を面壁部１に沿って上方に誘導し、誘引誘導体２の上部に設けた捕獲口８によって飛翔昆虫類を上部捕獲体２２内に引き入れて捕獲することができ、ハエやハチ等の飛翔昆虫類の捕獲率を飛躍的に向上させることができる。
【００４３】
次に、本発明による飛翔昆虫類捕獲器の試験を行ったので、これについて述べる。この試験例としては、飛翔昆虫類捕獲器における色の違いによる誘引作用及び捕獲効果についての試験である。
【００４４】
図１１に示すように、飛翔昆虫類捕獲器としては、周面と底面とから上部を開口する中空の円柱体状で、縦方向に向かう面壁部１を有する誘引誘導体２と、この誘引誘導体２の上部に備えて、下部を開口する中空の半球体状の上部カバー体５とから構成する。なお、上部カバー体５には侵入口６を一切設けないようにし、捕獲口８のみで飛翔昆虫類を捕獲するようにしており、この捕獲口８にあっては、その隙間の寸法を４〜５ｍｍにする。
【００４５】
このような構成の飛翔昆虫類捕獲器において、上部カバー体５の色をすべて乳白色にしつつ、面壁部１を含む誘引誘導体２をいろいろな色にして、色の違いによる効果を調べる。これは、実施品Ａは、本願発明による飛翔昆虫類捕獲器であって、図１１（ａ）のように、面壁部１を含む誘引誘導体２の色を黒色にする。比較品Ｂは、図１１（ｂ）のように、面壁部１を含む誘引誘導体２の色を赤色にする。比較品Ｃは、図１１（ｃ）のように、面壁部１を含む誘引誘導体２の色を青色にする。比較品Ｄは、図１１（ｄ）のように、面壁部１を含む誘引誘導体２の色を黄色にする。
【００４６】
これら実施品Ａ、比較品Ｂ、比較品Ｃ、比較品Ｄを、ピートチャンバー（大きさは、縦１．８２ｍ、横１．８２ｍ、高さ１．８２ｍ）内にそれぞれ配置して、このピートチャンバー内に、キイロショウジョウバエを８０匹放ち、２４時間経過後のそれぞれの捕獲数を数える。そして、実施品Ａや各比較品の配置等を換えて、これを３回行って、その平均数を出した。その結果を、以下の表１に示す。
【００４７】
【表１】
0005268408.tif 000002
【００４８】
本願発明による飛翔昆虫類捕獲器である実施品Ａでは、その捕獲数の平均が３０.３匹であるのに対し、比較品Ｂでは、１４．３匹、比較品Ｃでは、３．７匹、比較品Ｄでは、１２．０匹であった。
【００４９】
この結果より、本願発明による飛翔昆虫類捕獲器である実施品Ａにあっては、捕獲数の平均が３０.３匹と極めて多く、他のどの比較品と比べても倍以上、青色である比較品Ｃに対しては８倍以上の捕獲数になっており、実施品Ａにおける黒色が極めて高い誘引作用及び捕獲効果を持っていることがわかる。
【図面の簡単な説明】
【００５０】
【図１】本発明の第一の実施形態における正面図である。
【図２】本発明の第一の実施形態における平面図である。
【図３】本発明の第一の実施形態における断面図である。
【図４】本発明の第一の実施形態における斜視図である。
【図５】本発明の第一の実施形態の別の例における正面図である。
【図６】本発明の第一の実施形態の別の例における平面図である。
【図７】本発明の第一の実施形態の別の例における断面図である。
【図８】本発明の第一の実施形態の別の例における斜視図である。
【図９】本発明の第二の実施形態における斜視図である。
【図１０】本発明の第二の実施形態における断面図である。
【図１１】試験例の説明図である。
【符号の説明】
【００５１】
１…面壁部、２…誘引誘導体、３…薬剤含浸マット、４…支柱、５…上部カバー体、６…侵入口、７…支柱、８…捕獲口、１１…縦溝、２１…柱、２２…上部捕獲体、２３…下容器、２４…上容器、２５…取り付け部、３１…紐、３２…小穴
【図１】
0005268408.tif 000003
【図２】
0005268408.tif 000004
【図３】
0005268408.tif 000005
【図４】
0005268408.tif 000006
【図５】
0005268408.tif 000007
【図６】
0005268408.tif 000008
【図７】
0005268408.tif 000009
【図８】
0005268408.tif 000010
【図９】
0005268408.tif 000011
【図１０】
0005268408.tif 000012
【図１１】
0005268408.tif 000013